(57)【要約】【課題】運転者に煩わしさを感じさせることなく、車両周辺に障害物が存在する旨を運転者に適切に報知する。【解決手段】車両周辺監視装置２において、視線方向判定部１１ａは、運転者の視線方向を判定する。障害物判定部１１ｂは、車両周辺の所定方向に障害物が存在するか否かを判定する。報知制御部１１ｃは、運転者の視線方向が車両周辺の一方向であると視線方向判定部により判定されると、車両周辺の他方向での障害物判定部の判定結果を示す報知情報をスピーカー８，９や情報表示装置１０により報知する。【選択図】図１
2017182776.tif 000002
【特許請求の範囲】
【請求項１】
運転者の視線方向を判定する視線方向判定部（１１ａ，２７ａ）と、
車両周辺の所定方向に障害物が存在するか否かを判定する障害物判定部（１１ｂ，２７ｂ）と、
運転者の視線方向が車両周辺の一方向であると判定されると、車両周辺の他方向での前記障害物判定部の判定結果を示す報知情報を報知部（８〜１０）により報知する報知制御部（１１ｃ，２７ｃ）と、を備えた車両周辺監視装置（２，２２）。
【請求項２】
前記障害物判定部は、運転者の視線方向が車両周辺の一方向であると判定されると、車両周辺の他方向に障害物が存在するか否かを判定する処理を、車両周辺の一方向に障害物が存在するか否かを判定する処理よりも優先する請求項１に記載の車両周辺監視装置。
【請求項３】
前記報知制御部は、車両周辺の他方向に障害物が存在すると判定されると、車両周辺の他方向に障害物が存在する旨を示す報知情報を前記報知部により報知し、車両周辺の他方向に障害物が存在しないと判定されると、車両周辺の他方向に障害物が存在しない旨を示す報知情報を前記報知部により報知する請求項１又は２に記載の車両周辺監視装置。
【請求項４】
前記障害物判定部は、車両前方に障害物が存在するか否かを判定し、
前記報知制御部は、運転者の視線方向が車両前方の一方向であると判定されると、車両前方の他方向での前記障害物判定部の判定結果を示す報知情報を前記報知部により報知する請求項１から３の何れか一項に記載の車両周辺監視装置。
【請求項５】
車両が交差点に進入するか否かを判定する交差点進入判定部（１１ｄ，２７ｄ）を備え、
前記報知制御部は、車両が交差点に進入すると判定され且つ運転者の視線方向が車両前方の一方向であると判定されると、車両前方の他方向での前記障害物判定部の判定結果を示す報知情報を前記報知部により報知する請求項４に記載の車両周辺監視装置。
【請求項６】
前記報知部は、報知情報として音声情報を音声出力する音声出力部（８，９）を含み、
前記報知制御部は、運転者の視線方向が車両周辺の一方向であると判定されると、車両周辺の他方向での前記障害物判定部の判定結果を示す音声情報を車両周辺の他方向側の前記音声出力部から音声出力させる請求項１から５の何れか一項に記載の車両周辺監視装置。
【請求項７】
前記報知部は、報知情報として表示情報を表示する表示部（１０）を含み、
前記報知制御部は、運転者の視線方向が車両周辺の一方向であると判定されると、車両周辺の他方向での前記障害物判定部の判定結果を示す表示情報を車両周辺の一方向側の前記表示部に表示させる請求項１から５の何れか一項に記載の車両周辺監視装置。
【請求項８】
車両外部から車両周辺情報を取得したか否かを判定する車両周辺情報取得判定部（２７ｅ）を備え、
前記障害物判定部は、車両外部から取得された車両周辺情報を用い、車両周辺の所定方向に障害物が存在するか否かを判定する請求項１から７の何れか一項に記載の車両周辺監視装置（２２）。
【請求項９】
前記周辺情報取得判定部は、車両周辺情報として車車間通信による車車間情報を取得したか否かを判定し、
前記障害物判定部は、車車間情報を用い、車両周辺の所定方向に障害物として他車両が存在するか否かを判定する請求項８に記載の車両周辺監視装置。
【請求項１０】
前記報知制御部は、車両周辺の所定方向に他車両が存在すると判定されると、自車両と他車両との相対距離が所定距離未満である場合に報知情報を前記報知部により報知する請求項９に記載の車両周辺監視装置。
【請求項１１】
運転者が漫然状態であるか否かを判定する漫然状態判定部（２７ｆ）を備え、
前記報知制御部は、運転者の視線方向が車両周辺の一方向であると判定され、運転者の視線方向と同じ方向である車両周辺の一方向に障害物が存在すると判定された場合に、運転者が漫然状態であると判定されると、車両周辺の一方向に障害物が存在する旨を示す報知情報を前記報知部により報知する請求項１から１０の何れか一項に記載の車両周辺監視装置（２２）。
【請求項１２】
前記報知制御部は、運転者の視線方向が車両周辺の一方向であると判定され、運転者の視線方向と同じ方向である車両周辺の一方向に障害物が存在すると判定された場合に、運転者が漫然状態でないと判定されると、車両周辺の一方向に障害物が存在する旨を示す報知情報を前記報知部により報知しない請求項１１に記載の車両周辺監視装置。
【請求項１３】
車両周辺監視装置（２，２２）の制御部（１１，２７）に、
運転者の視線方向を判定する視線方向判定手順と、
運転者の視線方向が車両周辺の一方向であると判定すると、車両周辺の他方向に障害物が存在するか否かを判定する障害物判定手順と、
前記障害物判定手順の判定結果を報知部（８〜１０）により報知する報知制御手順と、を実行させるコンピュータプログラム。
【発明の詳細な説明】
【技術分野】
【０００１】
本発明は車両周辺監視装置及びコンピュータプログラムに関する。
【背景技術】
【０００２】
従来より、車両周辺を監視する車両周辺監視装置が供されている（例えば特許文献１参照）。この種の車両周辺監視装置は、例えば車両周辺撮影カメラから入力する映像信号や超音波センサから入力する検知信号等を用い、車両周辺に車両や歩行者等の障害物が存在するか否かを判定し、障害物が存在すると判定すると、障害物が存在する旨を運転者に報知する。
【先行技術文献】
【特許文献】
【０００３】
【特許文献１】特開２０１０−７０１２７号公報
【発明の概要】
【発明が解決しようとする課題】
【０００４】
しかしながら、従来の車両周辺監視装置は、運転手が認知している障害物に対しても、その障害物が存在する旨を運転者に報知する構成であるので、運転者が煩わしさを感じることがあった。
【０００５】
本発明は、上記した事情に鑑みてなされたものであり、その目的は、運転者に煩わしさを感じさせることなく、車両周辺に障害物が存在する旨を運転者に適切に報知することができる車両周辺監視装置及びコンピュータプログラムを提供することにある。
【課題を解決するための手段】
【０００６】
請求項１に記載した発明によれば、視線方向判定部（１１ａ，２７ａ）は、運転者の視線方向を判定する。障害物判定部（１１ｂ，２７ｂ）は、車両周辺の所定方向に障害物が存在するか否かを判定する。報知制御部（１１ｃ，２７ｃ）は、運転者の視線方向が車両周辺の一方向であると判定されると、車両周辺の他方向での障害物判定部の判定結果を示す報知情報を報知部（８〜１０）により報知する。
【０００７】
運転者の視線方向が車両周辺の一方向であると、運転者が車両周辺の一方向では障害物を認知している可能性が高いが、他方向では障害物を認知していない可能性が高い。この場合に、運転者が障害物を認知している可能性が高い車両周辺の一方向での判定結果を報知せず、運転者が障害物を認知していない可能性が高い車両周辺の他方向での判定結果を報知する。これにより、運転者に煩わしさを感じさせることなく、車両周辺に障害物が存在する旨を運転者に適切に報知することができる。
【図面の簡単な説明】
【０００８】
【図１】本発明の第１の実施形態を示す機能ブロック図
【図２】フローチャート（その１）
【図３】障害物の存在を判定する態様を示す図（その１）
【図４】表示情報が表示される態様を示す図（その１）
【図５】障害物の存在を判定する態様を示す図（その２）
【図６】表示情報が表示される態様を示す図（その２）
【図７】障害物の存在を判定する態様を示す図（その３）
【図８】表示情報が表示される態様を示す図（その３）
【図９】本発明の第２の実施形態を示す機能ブロック図
【図１０】フローチャート（その２）
【図１１】フローチャート（その３）
【図１２】フローチャート（その４）
【図１３】フローチャート（その５）
【図１４】障害物の存在を判定する態様を示す図（その４）
【図１５】表示情報が表示される態様を示す図（その４）
【図１６】障害物の存在を判定する態様を示す図（その５）
【図１７】表示情報が表示される態様を示す図（その５）
【図１８】障害物の存在を判定する態様を示す図（その６）
【図１９】表示情報が表示される態様を示す図（その６）
【発明を実施するための形態】
【０００９】
（第１の実施形態）
以下、本発明の第１の実施形態について図１から図８を参照して説明する。車両周辺監視システム１は、車両周辺監視装置２と、運転者撮影カメラ３と、車両周辺撮影カメラ４と、右側前方センサ５と、左側前方センサ６と、ナビゲーションシステム７と、右側スピーカー８（報知部に相当する）と、左側スピーカー９（報知部に相当する）と、情報表示装置１０（報知部に相当する）とを有する。
【００１０】
運転者撮影カメラ３は、運転者が運転席に座って車両前方を向いた状態で運転者の上半身を撮影し、その撮影した映像を含む映像信号を車両周辺監視装置２に出力する。運転者撮影カメラ３は、ＣＣＤ（Charge Coupled Device）イメージセンサやＣＭＯＳ（Complementary Metal Oxide Semiconductor）イメージセンサ等であり、単数であっても良いし複数であっても良い。車両周辺撮影カメラ４は、例えば車体前方部に配置されており、車両前方を撮影し、その撮影した映像を含む映像信号を車両周辺監視装置２に出力する。車両周辺撮影カメラ４は、車両の右側前方及び左側前方を撮影エリアとする画角のカメラである。車両周辺撮影カメラ４も、ＣＣＤイメージセンサやＣＭＯＳイメージセンサ等であり、単数であっても良いし複数であっても良い。
【００１１】
右側前方センサ５は、例えば車体の右側前方部に配置されている超音波センサであり、車両の右側前方を検知エリアとして車両や歩行者等の障害物を検知し、その検知結果を含む検知信号を車両周辺監視装置２に出力する。左側前方センサ６は、例えば車体の左側前方部に配置されている超音波センサであり、車両の左側前方を検知エリアとして車両や歩行者等の障害物を検知し、その検知結果を含む検知信号を車両周辺監視装置２に出力する。尚、超音波センサを採用する代わりに、レーダー（ＬＡＤＡＲ：Laser Detection and Ranging）やライダー（ＬＩＤＡＲ：Light Detection and Ranging）を採用する構成でも良い。
【００１２】
ナビゲーションシステム７は、車両の現在位置を特定する機能、車両が走行中の道路上での交差点の位置を特定する機能等を有し、車両の現在位置から交差点までの距離等の各種のナビゲーション情報を含むナビゲーション信号を車両周辺監視装置２に出力する。右側スピーカー８は、車室内で運転席の右側に配置されており、車両周辺監視装置２から音声出力指令信号を入力すると、音声情報を音声出力する。左側スピーカー９は、車室内で運転席の左側に配置されており、車両周辺監視装置２から音声出力指令信号を入力すると、音声情報を音声出力する。情報表示装置１０は、車両周辺監視装置２から表示指令信号を入力すると、表示情報をフロントガラスに投影して表示する。
【００１３】
車両周辺監視装置２は、制御部１１を有する。制御部１１は、ＣＰＵ（Central Processing Unit）、ＲＯＭ（Read Only Memory）、ＲＡＭ（Random Access Memory）及びＩ／Ｏ（Input／Output）を有するマイクロコンピュータにより構成されている。制御部１１は、非遷移的実体的記録媒体に格納されているコンピュータプログラムを実行することで、コンピュータプログラムに対応する処理を実行し、車両周辺監視装置２の動作全般を制御する。
【００１４】
制御部１１は、本発明に関連する機能として、視線方向判定部１１ａと、障害物判定部１１ｂと、報知制御部１１ｃと、交差点進入判定部１１ｄとを有する。これらの各部１１ａ〜１１ｄは制御部１１が実行するコンピュータプログラムにより構成されており、ソフトウェアにより実現されている。
【００１５】
視線方向判定部１１ａは、運転者撮影カメラ３から入力した映像信号を用い、運転者の頭や眼球の動きを解析して運転者の視線方向を判定する。障害物判定部１１ｂは、車両周辺撮影カメラ４から入力した映像信号や右側前方センサ５及び左側前方センサ６から入力した検知信号を用い、車両前方に障害物が存在するか否かを判定する。障害物判定部１１ｂは、車両周辺撮影カメラ４から入力した映像信号を部分的に優先して処理することが可能であり、例えば車両周辺撮影カメラ４の画角の左右の一方側に相当する映像信号の処理を、画角の左右の他方側に相当する映像信号の処理よりも優先することが可能である。即ち、障害物判定部１１ｂは、例えば車両の右側前方を撮影した映像を含む映像信号の処理を、車両の左側前方を撮影した映像を含む映像信号の処理よりも優先することが可能である。又、障害物判定部１１ｂは、右側前方センサ５，６から入力した検知信号の何れかを処理することが可能であり、例えば右側前方センサ５から入力した検知信号の処理を、左側前方センサ６から入力した検知信号の処理よりも優先することが可能である。ここでいう処理を優先するとは、処理速度や信号のサンプリング周期等で差を付与することを意味する。
【００１６】
報知制御部１１ｃは、音声出力指令信号をスピーカー８，９に出力し、音声情報をスピーカー８，９から音声出力させる。又、報知制御部１１ｃは、表示指令信号を情報表示装置１０に出力し、表示情報を情報表示装置１０に表示させる。交差点進入判定部１１ｄは、ナビゲーションシステム７から入力したナビゲーション信号を用い、車両が交差点に進入するか否を判定する。
【００１７】
次に、上記した構成の作用について図２から図８を参照して説明する。
制御部１１は本発明に関連して車両周辺監視処理を行う。制御部１１は、例えばイグニッションスイッチがオフからオンに切り換わる等の車両周辺監視処理の開始条件が成立すると、車両周辺監視処理を開始する。尚、制御部１１は、例えば車速が一定速度以上であること、運転者が所定操作を行ったこと等を車両周辺監視処理の開始条件としても良い。
【００１８】
制御部１１は、車両周辺監視処理を開始すると、車両が交差点に進入するか否かを交差点進入判定部１１ｄにより判定する（Ｓ１）。制御部１１は、車両が交差点に進入しないと判定すると（Ｓ１：ＮＯ）、車両周辺監視処理の終了条件が成立したか否かを判定する（Ｓ２）。
【００１９】
一方、制御部１１は、車両が交差点に進入すると判定すると（Ｓ１：ＹＥＳ）、運転者の視線方向を視線方向判定部１１ａにより判定する（Ｓ３，Ｓ４）。制御部１１は、例えば操舵角度により車両の進行方向を計算し、運転者の視線方向が車両の進行方向を中心として右方向に所定角度以上傾いている時間が所定時間（例えば数秒）継続したと判定すると、運転者の視線方向が右方向に傾いていると判定し（Ｓ３：ＹＥＳ）、車両の左側前方に障害物が存在するか否かを障害物判定部１１ｂにより判定する（Ｓ５）。このとき、制御部１１は、車両周辺撮影カメラ４の画角の左側に相当する映像信号の処理を、画角の右側に相当する映像信号の処理よりも優先し、左側前方センサ６から入力した検知信号の処理を、右側前方センサ５から入力した検知信号の処理よりも優先する。
【００２０】
制御部１１は、車両の左側前方に障害物が存在すると判定すると（Ｓ６：ＹＥＳ）、車両の左側前方に障害物が存在する旨を報知制御部１１ｃにより報知する（Ｓ７）。即ち、制御部１１は、図３に示すように、運転者の視線方向が右方向に傾いているときに、車両の左側前方で交差点への進入を待機している他車両Ｍを障害物として検知すると、音声出力指令信号を左側スピーカー９に出力し、例えば「左側前方に障害物があります  注意して下さい」という音声情報を左側スピーカー９から音声出力させる。又、制御部１１は、図４に示すように、表示指令信号を情報表示装置１０に出力し、「左側前方に障害物があります  注意して下さい」という表示情報をフロントガラス１２の右側に投影して表示させる。これにより、運転者は車両の右側前方を見ていながらも車両の左側前方に障害物が存在する旨を認知することができる。又、運転者の視線方向である右側前方に関する情報が報知されないので、運転者が煩わしさを感じることもない。
【００２１】
一方、制御部１１は、車両の左側前方に障害物が存在しないと判定すると（Ｓ６：ＮＯ）、車両の左側前方に障害物が存在しない旨を報知制御部１１ｃにより報知する（Ｓ８）。即ち、制御部１１は、図５に示すように、運転者の視線方向が右方向に傾いているときに、車両の左側前方で障害物を検知しないと、音声出力指令信号を左側スピーカー９に出力し、例えば「左側前方に障害物はありません」という音声情報を左側スピーカー９から音声出力させる。又、制御部１１は、図６に示すように、表示指令信号を情報表示装置１０に出力し、例えば「左側前方に障害物はありません」という表示情報をフロントガラス１２の右側に投影して表示させる。これにより、運転者は車両の右側前方を見ていながらも車両の左側前方に障害物が存しない旨を認知することができる。この場合も、運転者の視線方向である右側前方に関する情報が報知されないので、運転者が煩わしさを感じることもない。
【００２２】
同様にして、制御部１１は、運転者の視線方向が車両の進行方向を中心として左方向に所定角度以上傾いている時間が所定時間（例えば数秒）継続したと判定すると、運転者の視線方向が左方向に傾いていると判定し（Ｓ４：ＹＥＳ）、車両の右側前方に障害物が存在するか否かを障害物判定部１１ｂにより判定する（Ｓ９）。このとき、制御部１１は、車両周辺撮影カメラ４の画角の右側に相当する映像信号の処理を、画角の左側に相当する映像信号の処理よりも優先し、右側前方センサ５から入力した検知信号の処理を、左側前方センサ６から入力した検知信号の処理よりも優先する。
【００２３】
制御部１１は、車両の右側前方に障害物が存在すると判定すると（Ｓ１０：ＹＥＳ）、車両の右側前方に障害物が存在する旨を報知制御部１１ｃにより報知する（Ｓ１１）。即ち、制御部１１は、運転者の視線方向が左方向に傾いているときに、車両の右側前方で障害物を検知すると、音声出力指令信号を右側スピーカー８に出力し、例えば「右側前方に障害物があります  注意して下さい」という音声情報を右側スピーカー８から音声出力させる。又、制御部１１は、表示指令信号を情報表示装置１０に出力し、「右側前方に障害物があります  注意して下さい」という表示情報をフロントガラス１２の右側に投影して表示させる。これにより、運転者は車両の左側前方を見ていながらも車両の右側前方に障害物が存在する旨を認知することができる。又、運転者の視線方向である左側前方に関する情報が報知されないので、運転者が煩わしさを感じることもない。
【００２４】
一方、制御部１１は、車両の右側前方に障害物が存在しないと判定すると（Ｓ１０：ＮＯ）、車両の右側前方に障害物が存在しない旨を報知制御部１１ｃにより報知する（Ｓ１２）。即ち、制御部１１は、運転者の視線方向が左方向に傾いているときに、車両の右側前方で障害物を検知しないと、音声出力指令信号を右側スピーカー８に出力し、例えば「右側前方に障害物はありません」という音声情報を右側スピーカー８から音声出力させる。又、制御部１１は、表示指令信号を情報表示装置１０に出力し、例えば「右側前方に障害物はありません」という表示情報をフロントガラス１２の左側に投影して表示させる。これにより、運転者は車両の左側前方を見ていながらも車両の右側前方に障害物が存在しない旨を認知することができる。この場合も、運転者の視線方向である左側前方に関する情報が報知されないので、運転者が煩わしさを感じることもない。
【００２５】
制御部１１は、車両周辺監視処理の終了条件が成立していないと判定すると（Ｓ２：ＮＯ）、ステップＳ１に戻り、ステップＳ１以降を繰返して行う。制御部１１は、制御部１１は、例えばイグニッションスイッチがオンからオフに切り換わる等の車両周辺監視処理の終了条件が成立したと判定すると（Ｓ２：ＹＥＳ）、自車両周辺監視処理を終了する。
【００２６】
尚、以上は、制御部１１は、車両の左側前方又は右側前方に障害物が存在しないと判定した場合に車両の左側前方又は右側前方に障害物が存在しない旨を報知する構成としたが、障害物が存在すると判定した場合にのみ報知する構成とし、障害物が存在しないと判定した場合に報知しない構成としても良い。
【００２７】
又、以上は、制御部１１は、車両が交差点に進入すると判定すると、運転者の視線方向を判定し、車両周辺に障害物が存在するか否かを判定する構成を例示したが、車両が交差点に進入する否かに関係なく、運転者の視線方向を判定し、障害物が存在するか否かを判定する構成としても良い。即ち、車両が交差点に進入する状況でなくても、図７に示すように、運転者の視線方向が右方向に傾いているときに、車両の左側前方で道路脇の歩行者Ｎを障害物として検知すると、例えば「左側前方に障害物があります  注意して下さい」という音声情報を左側スピーカー９から音声出力させ、図８に示すように、例えば「左側前方に障害物があります  注意して下さい」という表示情報をフロントガラス１２の右側に投影して表示させても良い。
【００２８】
以上に説明したように第１の実施形態によれば、次に示す効果を得ることができる。
車両周辺監視装置２において、運転者の視線方向が左右の一方向に傾いていると判定すると、車両周辺の左右の他方向で障害物が存在するか否かを判定し、その判定結果を報知するので、運転者に煩わしさを感じさせることなく、車両周辺に障害物が存在する旨を運転者に適切に報知することができる。
【００２９】
又、車両周辺監視装置２において、運転者の視線方向が左右の一方向に傾いていると判定すると、車両周辺の左右の他方向で障害物を検知する処理を、車両周辺の左右の一方向で障害物を検知する処理よりも優先するので、処理能力を適切に分散し且つ処理負荷を適切に低減することができる。
【００３０】
又、車両周辺監視装置２において、車両周辺に障害物が存在すると判定すると、障害物が存在する旨を報知し、車両周辺に障害物が存在しないと判定すると、障害物が存在しない旨を報知するので、障害物が存在する旨を適切に報知することに加え、障害物が存在しない旨も適切に報知することができ、運転支援を適切に行うことができる。
【００３１】
又、車両周辺監視装置２において、車両が交差点に進入するときに、運転者の視線方向を判定し、車両周辺に障害物が存在するか否かを判定するので、車両が交差点に進入する状況で運転支援を適切に行うことができる。
【００３２】
又、車両周辺監視装置２において、例えば運転者の視線方向が右方向に傾いているときには、車両の左側前方に障害物が存在するか否かの判定結果を示す音声情報を左側スピーカー９から音声出力するので、運転者が左側から到来する音声情報を聞くことで、前方左側の判定結果であることを運転者が直観的に認知することができる。又、車両の左側前方に障害物が存在するか否かの判定結果を示す表示情報をフロントガラス１２の右側に投影して表示するので、判定結果を運転者が視線移動することなく認知することができる。例えば運転者の視線方向が左方向に傾いているときも同様である。
【００３３】
（第２の実施形態）
次に、本発明の第２の実施形態について図９から図１９を参照して説明する。尚、上記した第１の実施形態と同一部分については説明を省略し、異なる部分について説明する。
【００３４】
車両周辺監視システム２１は、車両周辺監視装置２２を有し、第１の実施形態で説明したカメラ３，４と、センサ５，６と、ナビゲーションシステム７と、スピーカー８，９と、情報表示装置１０とに加え、車両通信機２３と、車速センサ２４と、ステア角センサ２５とを有する。
【００３５】
車両通信機２３は、車両周辺に存在する他車両に搭載されている車両通信機２６との間で車車間通信を行い、その車車間通信により取得した車車間情報を含む情報信号を車両周辺監視装置２２に出力する。車両通信機２３が車両通信機２６との間の車車間通信により取得する車車間情報は、車両通信機２６を搭載している他車両の現在位置、車速、アクセル量（即ち加速の変化量）、ブレーキ量（即ち減速の変化量）等である。車速センサ２４は、車速を検知し、その検知結果を含む検知信号を車両周辺監視装置２に出力する。ステア角センサ２５は、ステア角を検知し、その検知結果を含む検知信号を車両周辺監視装置２に出力する。
【００３６】
車両周辺監視装置２２は、制御部２７を有する。制御部２７は、本発明に関連する機能として、視線方向判定部２７ａと、障害物判定部２７ｂと、報知制御部２７ｃと、交差点進入判定部２７ｄと、車両通信判定部２７ｅ（周辺情報取得判定部に相当する）と、漫然状態判定部２７ｆとを有する。これらの各部２７ａ〜２７ｆは制御部２７が実行するコンピュータプログラムにより構成されており、ソフトウェアにより実現されている。
【００３７】
視線方向判定部２７ａ、障害物判定部２７ｂ、報知制御部２７ｃ及び交差点進入判定部２７ｄは、それぞれ第１の実施形態で説明した視線方向判定部１１ａ、障害物判定部１１ｂ、報知制御部１１ｃ及び交差点進入判定部１１ｄと同等である。車両通信判定部２７ｅは、車両通信機２３から情報信号を入力したか否かにより、車両周辺情報として車車間情報を取得したか否かを判定する。
【００３８】
漫然状態判定部２７ｆは、車速センサ２４から入力した検知信号及びステア角センサ２５から入力した検知信号を用い、運転者が漫然状態であるか否かを判定する。具体的に説明すると、漫然状態判定部２７ｆは、車速センサ２４から入力した検知信号を用いて車速を所定周期（例えば５００ｍ秒周期）で検知し、その検知した車速を所定期間（例えば２０分間）記憶すると共に、ステア角センサ２５から入力した検知信号を用いてステア角を所定周期（例えば５００ｍ秒周期）で検知し、その検知したステア角を所定期間（例えば２０分間）記憶する。漫然状態判定部２７ｆは、記憶している車速及びステア角について統計値として例えば以下のＴ１〜Ｔ２０を算出する。
【００３９】
Ｔ１：過去１０秒間における車速の平均値
Ｔ２：過去２．５分間における車速の平均値
Ｔ３：過去５分間における車速の平均値
Ｔ４：過去１０分間における車速の平均値
Ｔ５：過去２０分間における車速の平均値
Ｔ６：過去１０秒間における単位時間あたりの車速の変化率
Ｔ７：過去２．５分間における単位時間あたりの車速の変化率
Ｔ８：過去５分間における単位時間あたりの車速の変化率
Ｔ９：過去１０分間における単位時間あたりの車速の変化率
Ｔ１０：過去２０分間における単位時間あたりの車速の変化率
Ｔ１１：過去１０秒間におけるステア角の平均値
Ｔ１２：過去２．５分間におけるステア角の平均値
Ｔ１３：過去５分間におけるステア角の平均値
Ｔ１４：過去１０分間におけるステア角の平均値
Ｔ１５：過去２０分間におけるステア角の平均値
Ｔ１６：過去１０秒間における単位時間あたりのステア角の変化率
Ｔ１７：過去２．５分間における単位時間あたりのステア角の変化率
Ｔ１８：過去５分間における単位時間あたりのステア角の変化率
Ｔ１９：過去１０分間における単位時間あたりのステア角の変化率
Ｔ２０：過去２０分間における単位時間あたりのステア角の変化率
ここで、過去の所定期間における単位時間あたりの車速又はステア角の変化率とは、以下の（式１）で定義される値である。
【００４０】
【数１】
2017182776.tif 000003
（１）式において、Ｖｉ＋１は過去の所定期間において（ｉ＋１）番目に記憶された車速又はステア角の値であり、Ｖｉは過去の所定期間においてｉ番目に記憶された車速又はステア角の値であり、Δｔは車速又はステア角を記憶する周期であり、ｎは過去の所定期間内に記憶されている車速又はステア角の個数である。
【００４１】
漫然状態判定部２７ｆは、統計値Ｔ１〜Ｔ２０を算出すると、その算出した統計値Ｔ１〜Ｔ２０がそれぞれ予め設定された数値範囲に属するか否かを判定する。数値範囲は、対応する統計値が当該数値範囲内にあれば漫然度の程度が増加し易く、一方、対応する統計値が当該数値範囲外にあれば漫然度の程度が減少し易い数値範囲であり、以下のようにして決定する。車両の走行中に運転者自らが自らの漫然度の程度を例えば０〜５段階で主観評価する。ここで「０」は漫然度の程度が最も低く、「５」は漫然度の程度が最も高いことを意味する。運転者による漫然度の主観評価を定期的に繰り返し行い、車両の走行中に車速及びステア角を継続的に検知して統計値Ｔ１〜Ｔ２０を周期的に繰り返し算出する。漫然状態判定部２７ｆは、運転者による漫然度の主観評価の推移と、統計値Ｔ１〜Ｔ２０の算出結果とを対比し、上記した数値範囲を決定する。漫然状態判定部２７ｆは、統計値Ｔ１〜Ｔ２０をそれぞれ対応する数値範囲と対比し、統計値Ｔ１〜Ｔ２０の全てが対応する数値範囲に属すると判定すると、運転者が漫然状態であると判定し、一方、統計値Ｔ１〜Ｔ２０のうちの１つでも対応する数値範囲に属さないと判定すると、運転者が漫然状態でないと判定する。
【００４２】
次に、上記した構成の作用について図１０から図１９を参照して説明する。
制御部２７は、車両周辺監視処理を開始すると、車両が交差点に進入するか否かを交差点進入判定部２７ｄにより判定する（Ｓ２１）。制御部２７は、車両が交差点に進入しないと判定すると（Ｓ２１：ＮＯ）、車両周辺監視処理の終了条件が成立したか否かを判定する（Ｓ２２）。一方、制御部２７は、車両が交差点に進入すると判定すると（Ｓ２１：ＹＥＳ）、運転者の視線方向を視線方向判定部２７ａにより判定する（Ｓ２３，Ｓ２４）。制御部１１は、運転者の視線方向が右方向及び左方向の何れかに傾いていると判定すると（Ｓ２３：ＹＥＳ，Ｓ２４：ＹＥＳ）、障害物判定処理に移行する（Ｓ２５，Ｓ２６）。
【００４３】
制御部２７は、障害物判定処理に移行し、障害物判定処理を開始すると、右側前方センサ５から入力した検知信号、左側前方センサ６から入力した検知信号、車両通信機２３から入力した情報信号のうち少なくとも何れかを用い、車両の前方に障害物が存在するか否かを障害物判定部２７ｂにより判定する（Ｓ５１）。制御部２７は、車両の前方に障害物が存在すると判定すると（Ｓ５２：ＹＥＳ）、車両通信機２３から情報信号を入力したか否かを判定し、車車間情報を取得したか否かを車両通信部２７ｅにより判定する（Ｓ５３）。制御部２７は、車両通信機２３から情報信号を入力したと判定し、車車間情報を取得したと判定すると（Ｓ５３：ＹＥＳ）、その車両の前方に存在する障害物が車両通信機２６を搭載している他車両であると特定し（Ｓ５４）、その取得した車車間情報を用い、自車両の現在位置から他車両の現在位置までの相対距離を計算する（Ｓ５５）。
【００４４】
制御部２７は、その計算した相対距離が所定距離未満であるか否かを判定し（Ｓ５６）、相対距離が所定距離未満であると判定すると（Ｓ５６：ＹＥＳ）、障害物判定処理を終了する。一方、制御部２７は、車両通信機２３から情報信号を入力しなかったと判定し、車車間情報を取得していないと判定すると（Ｓ５３：ＮＯ）、その車両の前方に存在する障害物が車両通信機２６を搭載していない車両や歩行者等であると特定し（Ｓ５７）、障害物判定処理を終了する。
【００４５】
制御部２７は、運転者の視線方向が右方向に傾いていると判定し（Ｓ２３：ＹＥＳ）、障害物判定処理を実行すると、その障害物を特定した方向を判定する（Ｓ２７）。制御部２７は、その障害物を特定した方向が右方向、即ち運転者の視線方向と同じ方向であると判定すると（Ｓ２８：ＹＥＳ）、車速センサ２４から入力した検知信号及びステア角センサ２５から入力した検知信号を用い、運転者が漫然状態であるか否かを漫然状態判定部２７ｆにより判定する（Ｓ２９）。制御部２７は、運転者が漫然状態でないと判定すると（Ｓ２９：ＮＯ）、報知せず、一方、運転者が漫然状態であると判定すると（Ｓ２９：ＹＥＳ）、車両の右側前方に障害物が存在する旨を報知制御部２７ｃにより報知する（Ｓ３０）。
【００４６】
即ち、制御部２７は、図１４に示すように、運転者の視線方向と同じ方向である車両の右側前方で交差点への進入を待機している他車両Ｍを障害物として検知すると、運転者が漫然状態であれば、音声出力指令信号を右側スピーカー８に出力し、例えば「右側前方に障害物があります  注意して下さい」という音声情報を右側スピーカー８から音声出力させる。又、制御部２７は、図１５に示すように、表示指令信号を情報表示装置１０に出力し、「右側前方に障害物があります  注意して下さい」という表示情報をフロントガラス１２の右側に投影して表示させる。これにより、運転者は車両の右側前方を漫然と見ていたとしても、漫然状態を解消して車両の右側前方に障害物が存在する旨を認知することができる。
【００４７】
制御部２７は、障害物を特定した方向が左右両方向であると判定すると（Ｓ３１：ＹＥＳ）、車両の左右両側前方に障害物が存在する旨を報知制御部２７ｃにより報知する（Ｓ３２）。即ち、制御部２７は、図１６に示すように、車両の右側前方と左側前方との両方で交差点への進入を待機している他車両Ｍを障害物として検知すると、音声出力指令信号を右側スピーカー８及び左側スピーカー９に出力し、例えば「左右両側前方に障害物があります  注意して下さい」という音声情報を右側スピーカー８及び左側スピーカー９から音声出力させる。又、制御部２７は、図１７に示すように、表示指令信号を情報表示装置１０に出力し、「左右両側前方に障害物があります  注意して下さい」という表示情報をフロントガラス１２の右側に投影して表示させる。
【００４８】
制御部２７は、障害物を特定した方向が左方向であると判定すると（Ｓ３３：ＹＥＳ）、第１の実施形態で説明したＳ７と同様にして、車両の左側前方に障害物が存在する旨を報知制御部２７ｃにより報知する（Ｓ３４）。制御部２７は、何れの方向にも障害物を特定していないと判定すると（Ｓ２８：ＮＯ，Ｓ３１：ＮＯ，Ｓ３３：ＮＯ）、何れの方向にも障害物が存在しない旨を報知制御部２７ｃにより報知する（Ｓ３５）。即ち、制御部２７は、図１８に示すように、何れの方向にも障害物を検知しないと、音声出力指令信号を右側スピーカー８及び左側スピーカー９に出力し、例えば「障害物はありません」という音声情報を右側スピーカー８及び左側スピーカー９から音声出力させる。又、制御部２７は、図１９に示すように、表示指令信号を情報表示装置１０に出力し、「障害物はありません」という表示情報をフロントガラス１２の右側に投影して表示させる。
【００４９】
制御部２７は、運転者の視線方向が左方向に傾いていると判定し（Ｓ２４：ＹＥＳ）、障害物判定処理を実行すると、その障害物を特定した方向を判定する（Ｓ３６）。制御部２７は、その障害物を特定した方向が左方向、即ち運転者の視線方向と同じ方向であると判定すると（Ｓ３７：ＹＥＳ）、車速センサ２４から入力した検知信号及びステア角センサ２５から入力した検知信号を用い、運転者が漫然状態であるか否かを漫然状態判定部２７ｆにより判定する（Ｓ３８）。制御部２７は、運転者が漫然状態でないと判定すると（Ｓ３８：ＮＯ）、報知せず、一方、運転者が漫然状態であると判定すると（Ｓ３８：ＹＥＳ）、車両の左側前方に障害物が存在する旨を報知制御部２７ｃにより報知する（Ｓ３９）。
【００５０】
即ち、制御部２７は、運転者の視線方向と同じ方向である車両の左側前方で障害物を検知すると、運転者が漫然状態でなければ、報知しないが、運転者が漫然状態であれば、音声出力指令信号を左側スピーカー９に出力し、例えば「左側前方に障害物があります  注意して下さい」という音声情報を左側スピーカー９から音声出力させる。又、制御部２７は、表示指令信号を情報表示装置１０に出力し、「左側前方に障害物があります  注意して下さい」という表示情報をフロントガラス１２の左側に投影して表示させる。これにより、運転者は車両の左側前方を漫然と見ていたとしても、漫然状態を解消して車両の左側前方に障害物が存在する旨を認知することができる。
【００５１】
制御部２７は、障害物を特定した方向が左右両方向であると判定すると（Ｓ４０：ＹＥＳ）、車両の左右両側前方に障害物が存在する旨を報知制御部２７ｃにより報知する（Ｓ４１）。即ち、制御部２７は、音声出力指令信号を右側スピーカー８及び左側スピーカー９に出力し、例えば「左右両側前方に障害物があります  注意して下さい」という音声情報を右側スピーカー８及び左側スピーカー９から音声出力させる。又、制御部２７は、表示指令信号を情報表示装置１０に出力し、「左右両側前方に障害物があります  注意して下さい」という表示情報をフロントガラス１２の左側に投影して表示させる。
【００５２】
制御部２７は、障害物を特定した方向が左方向であると判定すると（Ｓ４２：ＹＥＳ）、第１の実施形態で説明したＳ１１と同様にして、車両の右側前方に障害物が存在する旨を報知制御部２７ｃにより報知する（Ｓ４３）。制御部２７は、何れの方向にも障害物を特定していないと判定すると（Ｓ３７：ＮＯ，Ｓ４０：ＮＯ，Ｓ４２：ＮＯ）、何れの方向にも障害物が存在しない旨を報知制御部２７ｃにより報知する（Ｓ４４）。即ち、制御部２７は、音声出力指令信号を右側スピーカー８及び左側スピーカー９に出力し、例えば「障害物はありません」という音声情報を右側スピーカー８及び左側スピーカー９から音声出力させる。又、制御部２７は、表示指令信号を情報表示装置１０に出力し、「障害物はありません」という表示情報をフロントガラス１２の左側に投影して表示させる。
【００５３】
以上に説明したように第２の実施形態によれば、次に示す効果を得ることができる。
車両周辺監視装置２２において、車車間情報を取得すると、その取得した車車間情報を用いて車両周辺に障害物が存在するか否かを判定するので、車両周辺に障害物が存在するか否かを判定する精度を高めることができる。即ち、その車両周辺に存在する障害物が車両通信機２６を搭載した他車両であると特定することができる。又、車両周辺監視装置２２において、障害物が車両通信機２６を搭載している他車両であると特定すると、その取得した車車間情報を用いて適切に報知することができ、自車両と他車両との相対距離が所定距離未満になると報知することで、その障害物の存在を適切なタイミングで報知することができる。即ち、自車両と他車両との相対距離が十分に大きい状況で報知すると、報知するタイミングが早過ぎて運転者に煩わしさを感じさせる虞があり、一方、自車両と他車両との相対距離が極めて小さい状況で報知すると、報知するタイミングが遅過ぎて安全を確保し得ない虞があるが、そのような事態の発生を未然に回避することができる。
【００５４】
又、車両周辺監視装置２２において、運転者の視線方向と同じ方向に障害物が存在すると判定しても、運転者が漫然状態であると判定すると、その運転者の視線方向と同じ方向に障害物が存在する旨を報知するので、運転者の漫然状態を解消し、障害物が存在する旨を報知することができる。一方、運転者の視線方向と同じ方向に障害物が存在すると判定し、運転者が漫然状態でないと判定すると、その運転者の視線方向と同じ方向に障害物が存在する旨を報知しないので、運転者に煩わしさを感じさせることはない。
【００５５】
（その他の実施形態）
本開示は、実施例に準拠して記述されたが、当該実施例や構造に限定されるものではないと理解される。本開示は、様々な変形例や均等範囲内の変形をも包含する。加えて、様々な組み合わせや形態、更には、それらに一要素のみ、それ以上、或いはそれ以下を含む他の組み合わせや形態をも、本開示の範疇や思想範囲に入るものである。
【００５６】
単純に障害物が存在する旨を報知する構成を例示したが、例えば映像解析により障害物が車両であるか歩行者であるかを判定することで、障害物が車両や歩行者である旨を報知する構成としても良い。即ち、「左側前方から車両が近づいています  注意して下さい」や「左側前方に歩行者がいます  注意して下さい」等の報知情報を報知しても良い。
【００５７】
車両が前進する場合に適用する構成を例示したが、車両が後退する場合に適用しても良い。即ち、運転者が運転席に座って車両後方を向いた状態で運転者の上半身を撮影する運転者撮影カメラと、車両の右側後方を検知エリアとするセンサと、車両の左側後方を検知エリアとするセンサとを有する構成とすることで、例えば車両が後退して駐車する状況で駐車支援を適切に行うことができる。
【００５８】
車両外部から車両周辺情報として車車間通信による車車間情報を取得する構成を例示したが、路車間通信による路車間情報を取得する構成としても良い。
運転者が漫然状態であるか否かを判定する方法として、アクセルペダルセンサやブレーキペダルセンサを用い、アクセルペダルの踏み込み量やブレーキペダルの踏み込み量を検知し、前述した統計値Ｔ１〜Ｔ２０と同様にして統計値を算出する方法を用いても良い。又、運転者の視線方向を判定する方法や運転者の手首表面の電位差を検知する方法を用いても良い。
【符号の説明】
【００５９】
図面中、２，２２は車両周辺監視装置、８は右側スピーカー（報知部）、９は左側スピーカー（報知部）、１０は情報表示装置（報知部）、１１，２７は制御部、１１ａ，２７ａは視線方向判定部、１１ｂ，２７ｂは障害物判定部、１１ｃ，２７ｃは報知制御部、１１ｄ，２７ｄは交差点進入判定部、２７ｅは車両通信判定部（周辺情報取得判定部）、２７ｆは漫然状態判定部である。
【図１】
2017182776.tif 000004
【図２】
2017182776.tif 000005
【図３】
2017182776.tif 000006
【図４】
2017182776.tif 000007
【図５】
2017182776.tif 000008
【図６】
2017182776.tif 000009
【図７】
2017182776.tif 000010
【図８】
2017182776.tif 000011
【図９】
2017182776.tif 000012
【図１０】
2017182776.tif 000013
【図１１】
2017182776.tif 000014
【図１２】
2017182776.tif 000015
【図１３】
2017182776.tif 000016
【図１４】
2017182776.tif 000017
【図１５】
2017182776.tif 000018
【図１６】
2017182776.tif 000019
【図１７】
2017182776.tif 000020
【図１８】
2017182776.tif 000021
【図１９】
2017182776.tif 000022